(57)【要約】【課題】携帯電話が使用不可能な状況下で、特定の利用者の間でメッセージなどのデータの送受信を可能とすること。【解決手段】サーバ３は、同じグループの利用者８に配布されたそれぞれのＩＣタグ７のＩＣタグＩＤをグループ化し、グループＩＤを付してグループデータ３３として記憶する。端末５のＩＣタグリーダ部５３がＩＣタグ７のＩＣタグＩＤを読み取り、入力部５５がメッセージ等の入力を受け付けると、サーバ３に送信する。サーバ３は、当該ＩＣタグＩＤが属するグループＩＤに関連付けてメッセージデータ３５として記憶する。また、サーバ３は、ＩＣタグリーダ部５３が読み取ったＩＣタグＩＤに関連付けられたグループＩＤに対して記憶されたメッセージを端末５に送信する。【選択図】図１
2009140183.tif 000002
【特許請求の範囲】
【請求項１】
ユーザに携帯される記録媒体の識別情報の読み取り手段を備えた端末との間でデータの送受信が可能なサーバコンピュータであって、
グループ識別情報に関連付けて、前記記録媒体の識別情報を記憶する識別情報記憶手段と、
前記グループ識別情報に関連付けて、データを保持するデータ保持手段と、
前記端末から前記記録媒体の識別情報を受信し、前記識別情報記憶手段において当該識別情報に関連付けられて記憶されたグループ識別情報を検出し、前記データ保持手段において当該グループ識別情報に関連付けられて記憶されたデータを読み出すデータ読出手段と、
前記データ読出手段により読み出されたデータを、前記端末に送信する送信手段と、
を備えることを特徴とするサーバコンピュータ。
【請求項２】
前記データは、テキスト又は画像又は音声又は動画のうちのいずれか、或いはそれらを組み合わせて作成したメッセージ、或いはアクセスログデータであることを特徴とする請求項１記載のサーバコンピュータ。
【請求項３】
更に、前記端末によって読み取られた記録媒体の識別情報と、前記メッセージの入力を受け付けるメッセージ入力受付手段を備え、
前記メッセージ入力受付手段は、前記識別情報記憶手段から、当該識別情報に関連付けられて記憶されたグループ識別情報を読み出し、
前記データ記憶手段は、当該グループ識別情報に関連づけて前記メッセージを記憶することを特徴とする請求項２記載のサーバコンピュータ。
【請求項４】
ユーザに携帯される記録媒体の識別情報の読み取り手段を備えた端末と、前記端末に接続されるサーバコンピュータとの間の情報通信方法であって、
グループ識別情報に関連付けて、前記記録媒体の識別情報を記憶するステップと、
前記端末によって読み取られた記録媒体の識別情報と、データの入力を受け付けるステップと、
前記グループ識別情報に関連付けて、前記データを保持するステップと、
前記端末から前記記録媒体の識別情報を受信し、当該識別情報に関連付けられて記憶されたグループ識別情報を検出し、当該グループ識別情報に関連付けられて記憶されたデータを読み出すステップと、
前記読み出されたデータを、前記端末に送信するステップと、
を備えることを特徴とする情報通信方法。
【請求項５】
ユーザに携帯される記録媒体の識別情報の読み取り手段を備えた端末との間でデータの送受信が可能なコンピュータを、
グループ識別情報に関連付けて、前記記録媒体の識別情報を記憶する識別情報記憶手段と、
前記端末によって読み取られた記録媒体の識別情報と、データの入力を受け付けるデータ入力受付手段と、
前記グループ識別情報に関連付けて、前記データを保持するデータ保持手段と、
前記端末から前記記録媒体の識別情報を受信し、前記識別情報記憶手段において当該識別情報に関連付けられて記憶されたグループ識別情報を検出し、前記データ保持手段において当該グループ識別情報に関連付けられて記憶されたデータを読み出すデータ読出手段と、
前記データ読出手段により読み出されたデータを、前記端末に送信する送信手段、
として動作させるプログラム。
【発明の詳細な説明】
【技術分野】
【０００１】
本発明は、携帯電話が使用できない状況下で、特定の利用者間でデータをやり取りする情報通信方法、サーバコンピュータ、及びプログラムに関する。
【背景技術】
【０００２】
近年、携帯電話などにより電波の届く圏内において自由に情報のやり取りを行うことができる。また、ＧＰＳ（Global Positioning System）の利用できる携帯機器の普及により、その所有者の位置などを特定することができる。
一方、近年ではＩＣタグが普及し、例えば、スーパー銭湯やプールなどの温浴施設を含む複合レジャー施設では、入場時に腕輪型のＩＣタグあるいはバーコードが配布され、利用者はそのＩＣタグ等を利用して買い物や施設の利用が可能である。そして、退場時には、ＩＣタグ等に保持された利用情報を基に一括清算を行うことができるといったシステムも提供されている。
以下に示す特許文献１では、ＩＣタグを利用して、ホテルや遊園地などの大型の施設内において、使用者の位置を探索操作し、その特定された位置情報を携帯電話機に送信する情報通信システムが記載されている。
【特許文献１】特開２００５−３０３４０２号公報
【発明の開示】
【発明が解決しようとする課題】
【０００３】
しかしながら、携帯機器を使用できない状況、例えば、温浴施設内やスキー場や海水浴場などでは携帯機器が濡れてしまい、使用できないという状況、また、洋上の客船などの海洋上の施設などでは電波の届かない圏外となる状況などでは、携帯機器を用いて通信を行うことができない。
また、ＩＣタグを利用して施設内を別々に行動する同行者の位置が特定できたとしても、メッセージを送るなどして連絡を取ることができないという問題があった。
本発明は、以上の点に鑑みてなされたものであり、利用者それぞれが携帯する識別情報を有する記録媒体を利用して、特定の利用者間の通信を可能にする情報通信方法、及び、情報通信を行うサーバコンピュータ、及びプログラムを提供することを目的とする。
【課題を解決するための手段】
【０００４】
前述した目的を達成するために本発明は、ユーザに携帯される記録媒体の識別情報の読み取り手段を備えた端末との間でデータの送受信が可能なサーバコンピュータであって、グループ識別情報に関連付けて、前記記録媒体の識別情報を記憶する識別情報記憶手段と、前記グループ識別情報に関連付けて、データを保持するデータ保持手段と、前記端末から前記記録媒体の識別情報を受信し、前記識別情報記憶手段において当該識別情報に関連付けられて記憶されたグループ識別情報を検出し、前記データ保持手段において当該グループ識別情報に関連付けられて記憶されたデータを読み出すデータ読出手段と、前記データ読出手段により読み出されたデータを、前記端末に送信する送信手段と、を備えることを特徴とするサーバコンピュータである。
ここで、データとは、テキスト又は画像又は音声又は動画のうちのいずれか、或いはそれらを組み合わせて作成したメッセージ、或いはアクセスログデータである。
また、本発明は、更に、前記端末によって読み取られた記録媒体の識別情報と、前記メッセージの入力を受け付けるメッセージ入力受付手段を備え、前記メッセージ入力受付手段は、前記識別情報記憶手段から当該識別情報に関連付けられて記憶されたグループ識別情報を読み出し、前記データ記憶手段は、当該グループ識別情報に関連づけて前記メッセージを記憶する。
【０００５】
また、本発明は、ユーザに携帯される記録媒体の識別情報の読み取り手段を備えた端末と、前記端末に接続されるサーバコンピュータとの間の情報通信方法であって、グループ識別情報に関連付けて、前記記録媒体の識別情報を記憶するステップと、前記端末によって読み取られた記録媒体の識別情報と、データの入力を受け付けるステップと、前記グループ識別情報に関連付けて、前記データを保持するステップと、前記端末から前記記録媒体の識別情報を受信し、当該識別情報に関連付けられて記憶されたグループ識別情報を検出し、当該グループ識別情報に関連付けられて記憶されたデータを読み出すステップと、前記読み出されたデータを、前記端末に送信するステップと、を備えることを特徴とする情報通信方法である。
【０００６】
また、本発明は、ユーザに携帯される記録媒体の識別情報の読み取り手段を備えた端末との間でデータの送受信が可能なコンピュータを、グループ識別情報に関連付けて、前記記録媒体の識別情報を記憶する識別情報記憶手段と、前記端末によって読み取られた記録媒体の識別情報と、データの入力を受け付けるデータ入力受付手段と、前記グループ識別情報に関連付けて、前記データを保持するデータ保持手段と、前記端末から前記記録媒体の識別情報を受信し、前記識別情報記憶手段において当該識別情報に関連付けられて記憶されたグループ識別情報を検出し、前記データ保持手段において当該グループ識別情報に関連付けられて記憶されたデータを読み出すデータ読出手段と、前記データ読出手段により読み出されたデータを、前記端末に送信する送信手段、として動作させるプログラムである。
【発明の効果】
【０００７】
本発明によれば、携帯電話などの携帯機器が使えない状況下であっても、仲間同士などの特定のメンバーに連絡を入れることができ、連絡事項を伝えたり、メンバーの位置などを確かめることも可能である。
また、本発明では、記録媒体の識別情報に関連づけられたグループ識別情報が設定されたデータを読み出して送信するようにしたので、同じグループ識別情報が設定されたユーザを対象としてデータを送信することができ、特定のメンバー以外には、メンバーに宛てられたメッセージやアクセスログなどのデータを閲覧させないようにすることができる。
【発明を実施するための最良の形態】
【０００８】
以下に、添付図面を参照しながら、本発明に係る情報通信方法の好適な実施形態について詳細に説明する。
図１は、情報通信システム１のブロック構成図である。情報通信システム１は、サーバ３、端末５（５−１、５−２、…、５−ｎ）から構成され、ＩＣタグ７を携帯する利用者８のうち、特定の利用者同士の通信を実現するものである。ＩＣタグ７は、例えば、温泉レジャー施設やプール施設等の温浴施設をはじめとする施設を利用する利用者に対して、リストバンド等に付されて配布される。
尚、ここでは、ＩＣタグ７を例に説明するが、識別情報を記録し、その識別情報を外部から読み取ることができる記録媒体であれば、バーコードや識別情報を出力することができる赤外線通信装置、ＩＣカード、ＩＣメモリ、またはＵＳＢ（Ｕｎｉｖｅｒｓａｌ  Ｓｅｒｉａｌ  Ｂｕｓ）メモリ等を適用するようにしてもよい。
【０００９】
図１に示すサーバ３と端末５は、ネットワーク２を介してデータの送受信可能に接続されている。尚、ネットワーク２は有線でも無線でも構わない。
サーバ３は、サーバコンピュータであり、制御部１１、通信部１３、記憶部１５から構成される。制御部１１は、記憶部１５に記憶されたアプリケーションプログラム２１に従って、後述する情報通信処理やサーバ３内の各部の制御処理等を行う。通信部１３は、端末５とのデータ送受信処理を行う。
【００１０】
記憶部１５は、メモリやハードディスク等の記憶手段であり、アプリケーションプログラム２１、各種のデータを保持するデータベース２３を記憶する。アプリケーションプログラム２１は、後述する情報通信処理等を行うプログラムである。データベース２３は、ＩＣタグデータ３１、グループデータ３３、メッセージデータ３５、アクセスログデータ３７等を記憶する。
【００１１】
ＩＣタグデータ３１は、ＩＣタグ７の識別情報に関する情報である。図２は、ＩＣタグデータの一例を示す図である。ＩＣタグデータ３１は、ＩＣタグ７を識別するための識別情報であるＩＣタグＩＤと、ＩＣタグ７のそれぞれに対応した固有情報等である。
【００１２】
図３は、ＩＣタグ７を備えたＩＣタグリストバンドの一例を示す図である。図３に示すＩＣタグリストバンド６１には、ＩＣタグ７が内蔵される。また、リストバンド６１の表面には、ハート型のマークや番号「Ａ２」といったリストバンド６１を外見上で区別するための固有情報が印刷や刻印、あるいは表示される。ＩＣタグリストバンド６１を配布された利用者は、仲間の中のどの人にどのリストバンド６１が配布されたかを、リストバンド６１の表面に表示されたマークや番号等によって区別し、これを手がかりに、着用しているユーザを識別することが可能である。図２に示すように、記憶部１５は、リストバンド６１に備えられたＩＣタグ７のＩＣタグＩＤと対応させて、リストバンド６１の表面に表示されたマークや番号を固有情報として記憶する。
【００１３】
図４は、データベース２３に記憶されるグループデータ３３の一例を示す図である。グループデータ３３は、グループＩＤと、グループ化されたＩＣタグ７のＩＣタグＩＤ、データ等である。図４に示すグループデータ３３では、ＩＣタグＩＤが「ＩＣ０００１」、「ＩＣ０００２」、「ＩＣ０００３」、「ＩＣ０００４」を付されたＩＣタグ７が一つのグループとしてグループＩＤ「ＧＲ０１」が付されて記憶され、ＩＣタグＩＤが「ＩＣ００２０」、「ＩＣ００２１」を付されたＩＣタグ７が一つのグループとしてグループＩＤ「ＧＲ０２」が付されて記憶されることを示す。データは、各グループで共有するメッセージデータ或いはアクセスログデータ等であり、又は、メッセージデータやアクセスログデータへのリンク情報等であってもよい。
【００１４】
例えば、施設の入り口等において、施設の利用者８ａ、８ｂ、８ｃ、８ｄのそれぞれに配布されたＩＣタグ７は、受付係によって１グループとして登録される。ここで、例えば、利用者８ａ、８ｂ、８ｃ、８ｄは、お互いに友人同士であり、一緒に温浴施設に来場したものとし、このグループの代表者が申し出をすることにより、そのグループに対し、施設の受付係によって、このグループの利用者８ａにはＩＣタグＩＤ「ＩＣ０００１」のＩＣタグが配布され、利用者８ｂにはＩＣタグＩＤ「ＩＣ０００２」のＩＣタグが配布され、利用者８ｃにはＩＣタグＩＤ「ＩＣ０００３」のＩＣタグが配布され、利用者８ｄにはＩＣタグＩＤ「ＩＣ０００４」のＩＣタグが配布されたとする。
【００１５】
サーバ３は、利用者８ａ、８ｂ、８ｃ、８ｄのＩＣタグ７のＩＣタグＩＤの入力を受け付け、それらのＩＣタグ７を１グループとしてグループ化し、グループＩＤ「ＧＲ０１」を付して、グループデータ３３としてデータベース２３に記憶する。このとき、利用者８ａ、８ｂ、８ｃ、８ｄの個人情報を入力し、登録することはない。したがって、利用者同士は、ＩＣタグＩＤやリストバンド等に表示されたマークやキャラクタ、番号等で、お互いのＩＣタグを区別することとなる。
【００１６】
メッセージデータ３５は、端末５から入力され、グループ化された利用者の全員、或いはその一部に宛てられるメッセージ等に関する情報である。
端末５は施設内の各所に設置され、端末５とそれぞれの設置箇所を示す情報は対応づけられてサーバ３の記憶部１５に記憶される。
図１に示すように、端末５は、表示部５１（５１−１、５１−２、…、５１−ｎ）、ＩＣタグリーダ部５３（５３−１、５３−２、…、５３−ｎ）、入力部５５（５５−１、５５−２、…、５５−ｎ）等を有する。表示部５１は、ディスプレイやタッチパネル等であり、操作メニュー画面、メッセージ等を表示する。
【００１７】
ＩＣタグリーダ部５３は、ＩＣタグ７のＩＣタグＩＤなどの情報を読み取る機能を有し、読み取ったＩＣタグＩＤなどの情報、読み取った時間や読み取った端末５の設置箇所を特定する位置情報に関する情報はサーバ３に送信され、サーバ３はアクセスログデータ３７としてそれらを記憶する。
入力部５５は、メッセージや操作指示等の入力手段であり、例えば、端末５がパーソナルコンピュータであれば、キーボードやマウスである。また、表示部５１がタッチパネルであり、入力部５５を兼ねることも可能である。また、端末５はＡＴＭ（Automatic Teller Machine）であってもよい。また、入力部５５はカメラやマイク等であってもよく、その場合、メッセージは音声や動画、静止画等となる。
【００１８】
端末５のＩＣタグリーダ部５３がＩＣタグ７のＩＣタグＩＤを読み取り、入力部５５がメッセージ等の入力を受け付けると、サーバ３に送信する。サーバ３は、ＩＣタグＩＤとメッセージ等を受信し、当該ＩＣタグＩＤが属するグループＩＤに関連付けてメッセージデータ３５として記憶する。
図５は、メッセージデータ３５の一例を示す図である。図５に示すメッセージデータ３５は、メッセージ入力の際に読み取ったＩＣタグ７のＩＣタグＩＤと、当該ＩＣタグＩＤの属するグループＩＤ、メッセージデータファイル、メッセージの登録時間や登録場所等のデータから構成される。
【００１９】
メッセージデータファイルは、メッセージがキーボードやタッチパネル等の入力部５５を介して入力された伝言文テキストであればテキストファイルであり、カメラやマイク等の入力部５５から入力されたメッセージであれば、動画ファイルや音声ファイルである。
【００２０】
次に、情報通信システム１の動作について説明する。図６は、情報通信システム１によるメッセージ登録及び表示処理のシーケンス図である。端末５のＩＣタグリーダ部５３は、ＩＣタグ７を検出し（ステップＳ１０１）、ＩＣタグ７が検出されると、ＩＣタグ７の情報、即ち、ＩＣタグＩＤを読み取って（ステップＳ１０２）、サーバ３に送信する（ステップＳ１０３）。
【００２１】
次に、サーバ３の通信部１３は、端末からＩＣタグＩＤを受信し（ステップＳ１０４）、制御部１１は、当該ＩＣタグＩＤとその読取位置（読み取った端末５に予め設定され設置箇所を示す位置情報）と時間とを、アクセスログデータ３７としてデータベース２３に記憶する（ステップＳ１０５）。制御部１１は、データベース２３に記憶されたグループデータ３３から、当該ＩＣタグＩＤの属するグループのグループＩＤに関連付けられ記憶されたデータを読み出す（ステップＳ１０６）。ここで、データとは当該グループに関連付けられて記憶されたメッセージデータ等である。サーバ３は、読み出したデータ等を端末５に送信する（ステップＳ１０７）。
【００２２】
次に、端末５はデータを受信すると（ステップＳ１０８）、表示部５１によって操作入力を受け付けるための初期画面を表示する（ステップＳ１０９）。ここで、例えば、表示部５１は、「伝言メッセージ登録」、「伝言メッセージ読み出し」、「アクセスログデータ読み出し」等の処理メニューを表示し、入力部５５は利用者からの入力を受け付ける。
【００２３】
入力部５５が利用者からの「伝言メッセージの読み出し」処理の入力を受け付けた場合（ステップＳ１１０）、表示部５１は、サーバ３から送信されたデータ（例えば、上述のステップＳ１０６において受信したデータ）を基にメッセージを表示する（ステップＳ１１１）。ここでは、メッセージがテキストデータであれば画面にそのテキストデータが表示され、画像や音声である場合には、画像の出力、音声の出力がなされる。次に、入力部５５が利用者からの「伝言メッセージの登録」処理の入力を受け付けた場合（ステップＳ１１２）、表示部５１は、メッセージ入力画面等を表示し、入力部５５からのメッセージの入力を受け付ける（ステップＳ１１３）。
【００２４】
次に、表示部５１は、全ての作業を終了するかどうかの確認画面を表示する（ステップＳ１１４）。作業が終了していない場合は、ステップＳ１０９に戻る。ステップＳ１１４において入力部５５が利用者からの「作業終了」の入力を受け付けると、サーバ３にＩＣタグＩＤとともに入力されたデータを送信する（ステップＳ１１５）。サーバ３は送信されたデータを基に、当該ＩＣタグＩＤとメッセージ等のデータを関連してデータベース２３に記憶する（ステップＳ１１６）。表示部５５は終了画面を表示し（ステップＳ１１７）、作業が終了する。
【００２５】
例えば、利用者８ａ、８ｂ、８ｃ、８ｄのうち、利用者８ａ及び８ｂと、利用者８ｃ及び８ｄとの２グループに途中で別行動になり、利用者８ａ、８ｂが、別行動で施設を利用している仲間である利用者８ｃ、８ｄに対するメッセージを登録する場合を考える。施設内に設置された任意の端末５に利用者８ａ、８ｂの両方又はどちらか一方が、ＩＣタグを近づけると、ＩＣタグリーダ部５３は非接触通信にてＩＣタグＩＤを読み取る。読み取られたＩＣタグＩＤはサーバ３に送信され、表示部５１は操作画面を表示し、その画面にしたがって入力部５５から入力されたメッセージとＩＣタグリーダ部５３によって読み取られたＩＣタグＩＤをサーバ３に送信する。サーバ３は、グループデータ３３を参照して送信されたＩＣタグＩＤに関連付けられたグループＩＤを読み出し、当該ＩＣタグＩＤ、グループＩＤ、メッセージ内容（メッセージデータファイル）等をメッセージデータ３５に記憶し、グループデータの当該グループＩＤに関するデータを更新する。また、サーバ３は当該ＩＣタグＩＤに関するアクセスログデータ３７を更新する。
【００２６】
次に、例えば、上述の利用者８ｃ、８ｄが、端末５から自分たちに宛てられたメッセージを読み出す場合を考える。施設内に設置された任意の端末５に利用者８ｃ、８ｄの両方又はどちらか一方がＩＣタグを近づけると、ＩＣタグリーダ部５３は非接触通信にてＩＣタグＩＤを読み取る。読み取られたＩＣタグＩＤはサーバ３に送信される。サーバ３は、グループデータ３３を参照し、送信されたＩＣタグＩＤが属するグループＩＤに登録されたメッセージデータ等のデータを読み出し、端末５に送信する。
【００２７】
端末５の表示部５１は、送信されたデータを基に、メッセージを表示する。表示部５１には、例えば、「○時にＸＸに集合」というメッセージとともに、そのメッセージを送った利用者８ａ或いは利用者８ｂのＩＣタグ７のＩＣタグＩＤ、ＩＣタグ７のリストバンドに表示されたマークやキャラクタ、番号等が表示される。これにより、タグＩＤやマークやキャラクタ、番号等を手がかりに、メッセージを送った利用者が誰であるかを識別することが可能である。
なお、グループＩＤに関連付けられて記憶されたメッセージがない場合は、サーバ３はその旨を端末５に通知し、端末５は「メッセージはありません」といった画面を表示部５１に表示する。
【００２８】
次に、アクセスログを参照する場合について説明する。例えば、利用者８ｃ、８ｄが、仲間である利用者８ａ、８ｂのアクセスログを端末５から読み出す場合を考える。施設内に設置された任意の端末５に利用者８ｃ、８ｄの両方又はどちらか一方がＩＣタグを近づけると、ＩＣタグリーダ部５３は非接触通信にてＩＣタグＩＤを読み取る。読み取られたＩＣタグＩＤはサーバ３に送信される。端末５は、操作画面メニューを表示し、入力部５５から「アクセスログ参照」のメニューが選択されると、その旨をサーバ３に通知する。
【００２９】
サーバ３は、グループデータ３３から送信されたＩＣタグＩＤが属するグループＩＤに登録された他の利用者８ａ、８ｂのアクセスログデータ３７を読み出し、端末５に送信する。端末５の表示部５１は、送信されたデータを基に、利用者８ａ、８ｂのアクセスログデータ、即ち、いつ、どこの端末にアクセスしたかという情報を表示する。例えば、表示部５１には、利用者８ａ、８ｂそれぞれのＩＣタグＩＤ、ＩＣタグ７のリストバンドに表示されたマークやキャラクタ、番号といったＩＣタグ７の固有情報と、そのＩＣタグ情報を読み込んだ場所と時間等のアクセスログデータ等が表示される。
こうしてアクセスログデータを読み出すことによって、仲間がいつどのように移動したかを把握することができる。
【００３０】
なお、メッセージの入力方法の一例として、定型文で入力することも可能である。図７は定型文の入力画面の一例を示す図である。ここでは、表示部５１がタッチパネルであり、入力部５５を兼ねる。表示部５１は「時間」と「場所」の選択肢を表示し、入力部５５はそれらの選択肢から利用者によって選択されたものを受け付けて、サーバ３に送信する。例えば、図７に示す「時間」と「場所」の選択肢のうち、利用者が「１２時」と「Ｂ」を選択した場合、サーバ３は、「１２時に場所Ｂで待っています」というメッセージを作成し、メッセージデータ３５として記憶する。また、場所などの指定には、画面上に施設案内の地図等を表示し、タッチパネルで位置を指定して、入力を受け付けても良い。
こうして、伝言メッセージの種類を予め用意し、利用者が設定する部分だけを選択できるようにすることで、メッセージ作成などの利用時間の短縮が図れる。
【００３１】
本実施の形態では、サーバ３は、利用者によって登録されたメッセージをグループＩＤの付されたグループごとに記憶し、そのメッセージは、当該グループＩＤが付されたＩＣタグＩＤのＩＣタグ７を携帯する利用者にしか、メッセージを表示しない。即ち、グループ化された利用者以外がグループに関連するメッセージを見ることはできない。アクセスログも同様に同じグループとして登録された利用者しか読み出し、見ることはできない。
【００３２】
なお、前述のサーバ３の処理を制御するアプリケーションプログラム２１は、記録媒体に記録して、或いは、ネットワーク上で流通させることが可能である。
また、本実施の形態ではＩＣタグ７を用いたが、個々を識別する識別情報（ＩＤ等）が記録され、その識別情報を読み取ることができる記録媒体であればよい。例えば、ＩＣタグの代わりに利用者に配布されるリストバンド等に個々を区別するバーコードを付し、本情報通信方法を利用することも可能である。その場合、ＩＣタグリーダ部５３は、バーコードリーダ部となり、ＩＣタグデータ３１はバーコードデータとなる。また、識別情報を出力することができる赤外線通信装置を記録媒体として適用し、赤外線通信によって端末５と通信を行って識別情報をサーバ３に送信するようにしてもよい。また、ＩＣカード、ＩＣメモリ、ＵＳＢメモリを記録媒体として適用する場合には、これらＩＣカード、ＩＣメモリ、ＵＳＢメモリに記憶された識別情報を読み出すデータ通信部を端末５に設け、このデータ通信部によって読み出した識別情報を端末５からサーバ３に送信するようにしてもよい。
【００３３】
以上、添付図面を参照しながら、本発明に係る情報通信方法の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【００３４】
このように、本発明によれば、温泉やプールなどの携帯電話を携帯できないレジャー施設内、或いは、電波の届かないことから携帯電話が使用できない海上などにおいても、仲間同士の情報通信が可能となる。
【図面の簡単な説明】
【００３５】
【図１】情報通信システム１のブロック構成図
【図２】ＩＣタグデータの一例を示す図
【図３】ＩＣタグリストバンド６１の一例を示す図
【図４】グループデータの一例を示す図
【図５】メッセージデータの一例を示す図
【図６】情報通信システム１の動作を示すシーケンス図
【図７】メッセージの定型文入力画面の一例を示す図
【符号の説明】
【００３６】
１………情報通信システム
２………ネットワーク
３………サーバ
５………端末
７………ＩＣタグ
１１………制御部
１３………通信部
１５………記憶部
２１………アプリケーションプログラム
２３………データベース
３１………ＩＣタグデータ
３３………グループデータ
３５………メッセージデータ
３７………アクセスログデータ
５１、５１−１、５１−２、…、５１−ｎ………表示部
５３、５３−１、５３−２、…、５３−ｎ………ＩＣタグリーダ部
５５、５５−１、５５−２、…、５５−ｎ………入力部
【図１】
2009140183.tif 000003
【図２】
2009140183.tif 000004
【図３】
2009140183.tif 000005
【図４】
2009140183.tif 000006
【図５】
2009140183.tif 000007
【図６】
2009140183.tif 000008
【図７】
2009140183.tif 000009